(57)【要約】      （修正有）【課題】地震警報ランプを提供する。【解決手段】警報装置とベースを備え、警報装置がベースに着脱自在に装着され、警報装置内には、地球磁場の異常が検出される場合、磁場異常信号を送信する地球磁場検出ユニット５と、地球磁場検出ユニットに接続されて、磁場異常信号を受信した時に、早期警報を出す音声光早期警報ユニット６と、地球磁場検出ユニットに接続されて、地震縦波を検出した時に、縦波信号を送信する地震縦波検出ユニット９と、地震横波を検出した時、横波信号を送信する地震横波検出ユニット１０と、地震縦波検出ユニットと地震横波検出ユニットに接続されて、縦波信号又は横波信号を受信した時に警報を出す音声光警報ユニット１１と、応急又は避難時の照明に用いられる照明ユニット８と、地震の場合、家族に地震早期警報、警報信号を提供するとともに、避難のために光照補助を提供する給電ユニットとが集積されている。【選択図】図８
0003214732.tif 000002
【実用新案登録請求の範囲】
【請求項１】
地震警報ランプであって、
警報装置とベースを備え、前記警報装置がベースに着脱自在に装着され、前記警報装置内には、地球磁場の異常が検出される場合、磁場異常信号を送信する地球磁場検出ユニットと、地球磁場検出ユニットに接続されて、磁場異常信号を受信した時に、早期警報を出す音声光早期警報ユニットと、地球磁場検出ユニットに接続されて、地震縦波を検出した時に、縦波信号を送信する地震縦波検出ユニットと、地震横波を検出した時、横波信号を送信する地震横波検出ユニットと、地震縦波検出ユニットと地震横波検出ユニットに接続されて、縦波信号又は横波信号を受信した時に警報を出す音声光警報ユニットと、応急又は避難時の照明に用いられる照明ユニットと、地震の場合、家族に地震早期警報、警報信号を提供するとともに、避難のために光照補助を提供する給電ユニットとが集積されていることを特徴とする地震警報ランプ。
【請求項２】
前記ベースは固定式ベースとプラグイン式ベースに分けられ、
前記固定式ベースとプラグイン式ベースのいずれにも接続溝を有し、
前記警報装置はプラグイン式ベース又は固定式ベースの接続溝内に係合されることができ、
前記固定式ベースの接続溝に背向した一側が壁取付側として構成され、
前記プラグイン式ベースの接続溝に背向した一側に取付溝があり、前記取付溝にカバープレートが着脱自在に設けられ、前記カバープレートにプラグがあることを特徴とする請求項１に記載の地震警報ランプ。
【請求項３】
前記カバープレートは複数枚設けられ、且つそれぞれのカバープレートにおけるプラグの規格が異なることを特徴とする請求項２に記載の地震警報ランプ。
【請求項４】
前記取付溝の内壁に係合溝があり、前記カバープレートに係合溝と係合するバックルがあることを特徴とする請求項２に記載の地震警報ランプ。
【請求項５】
前記接続溝の三つの側壁の一つが開口し、前記警報装置が開口を介して接続溝内へ滑り込むことを特徴とする請求項２に記載の地震警報ランプ。
【請求項６】
前記取付溝のノッチの両側のいずれにも制限溝付き制限板が設けられ、前記警報装置の側壁に制限溝と嵌合する制限ストリップがあることを特徴とする請求項２に記載の地震警報ランプ。
【請求項７】
前記壁の取付側に取付孔付き取付ストリップがあることを特徴とする請求項２に記載の地震警報ランプ。
【請求項８】
前記壁取付側にさらに、取付ストリップの両側に位置する凸リブがあることを特徴とする請求項７に記載の地震警報ランプ。
【請求項９】
前記警報装置は、取付室を有するハウジングと取付室に蓋設された透光パネルとを含むことを特徴とする請求項１に記載の地震警報ランプ。
【考案の詳細な説明】
【技術分野】
【０００１】
本考案は地震警報ランプに関する。
【背景技術】
【０００２】
大地震は大災害につながることが多く、地震による死傷者を減らすために、地震の検出、地震が発生した時の避難が非常に重要なことである。従来、市販される製品のうち、家庭用に適する地震検出装置がなかった。
【考案の概要】
【考案が解決しようとする課題】
【０００３】
従来技術の欠点に対して、本考案は地震警報ランプを提供する。
【考案を解決するための手段】
【０００４】
上記目的を達成させるために、本考案は下記技術案を提供する。
【０００５】
地震警報ランプは、警報装置とベースを備え、前記警報装置がベースに着脱自在に装着され、前記警報装置内には、地球磁場の異常が検出される場合、磁場異常信号を送信する地球磁場検出ユニットと、地球磁場検出ユニットに接続されて、磁場異常信号を受信した時に、早期警報を出す音声光早期警報ユニットと、地球磁場検出ユニットに接続されて、地震縦波を検出した時に、縦波信号を送信する地震縦波検出ユニットと、地震横波を検出した時、横波信号を送信する地震横波検出ユニットと、地震縦波検出ユニットと地震横波検出ユニットに接続されて、縦波信号又は横波信号を受信した時に警報を出す音声光警報ユニットと、応急又は避難時の照明に用いられる照明ユニットと、給電ユニットとが集積されている。地球磁場検出ユニットによって地球磁場の異常を検出し、音声光早期警報ユニットで警報を行い、地震縦波検出ユニットと地震横波検出ユニットは縦波信号又は横波信号を検出すると、直ちに縦波信号又は横波信号を音声光警報ユニットに送信して、音声光警報ユニットは警報を行う。本考案では、早期警報から警報まで、人々の注意を喚起させて、地震の備えをさせ、それにより地震による損失を低下させ、使用者の家族の安全を向上させる一方、地震が発生した時、警報装置を取り外して、避難のために照明装置として使用することもできる。
【０００６】
好ましくは、前記ベースは固定式ベースとプラグイン式ベースに分けられ、前記固定式ベースとプラグイン式ベースのいずれにも接続溝を有し、前記警報装置はプラグイン式ベース 又は固定式ベースの接続溝内に係合されることができ、前記固定式ベースの接続溝に背向した一側が壁取付側として構成され、前記プラグイン式ベースの接続溝に背向した一側に取付溝があり、前記取付溝にカバープレートが着脱自在に設けられ、前記カバープレートにプラグがある。本考案では、警報装置を固定式ベースに組み立て、固定式ベースを介して壁に取り付けて、充電ケーブルを介して充電してもよく、また、別の態様として、警報装置をプラグイン式ベースに取り付け、次にプラグイン式ベースを壁のコンセントに接続して充電してもよく、それにより、警報装置の複数種の充電方式が実現され、本考案の使用柔軟性を高め、さらに警報装置を固定式ベース又はプラグイン式ベースにより壁に取り付けることで、占める空間を節約するとともに、正常な場合に意外にタッチされることを回避する一方、警報装置を接続溝から取り外して、照明灯として使用することもできる。
【０００７】
好ましくは、前記カバープレートは複数枚設けられ、且つそれぞれのカバープレートにおけるプラグの規格が異なる。該形態によれば、本考案に複数種の規格の挿入孔に接続できる機能を付与し、更に本考案の使用柔軟性を高める。
【０００８】
好ましくは、前記取付溝の内壁に係合溝があり、前記カバープレートに係合溝と係合するバックルがある。該形態は、カバープレートと取付溝のバックルによる係合を実現し、すなわち両者の着脱可能な接続を実現する。
【０００９】
好ましくは、前記接続溝の三つの側壁の一つが開口し、前記警報装置が開口を介して接続溝内へ滑り込む。該形態は警報装置を接続溝内に容易に装着できる。
【００１０】
好ましくは、前記取付溝のノッチの両側のいずれにも制限溝付き制限板が設けられ、前記警報装置の側壁に制限溝と嵌合する制限ストリップがある。該配置は、警報装置の接続溝での取付安定性を向上できる。
【００１１】
好ましくは、前記壁取付側に取付孔付き取付ストリップがある。取付孔にボルトを貫通させることで、固定式ベースを壁に固定することができる。取付ストリップを設置することで固定式ベースの肉厚を減少させて、軽量化させると同時に、固定式ベースと壁の直接接触面積を減少させ、固定式ベースを取り付けやすくするだけでなく、壁による固定式ベースの影響を軽減させる。
【００１２】
好ましくは、前記壁取付側にさらに、取付ストリップの両側に位置する凸リブがある。該凸リブは、固定式ベースの壁での取付安定性を向上させ、固定式ベースの左右が受ける力にムラが生じて緩めることを防止する。
【００１３】
好ましくは、前記警報装置は、取付室を有するハウジングと取付室に蓋設された透光パネルとを含む。
【図面の簡単な説明】
【００１４】
【図１】本実施例に係る地震警報ランプの模式図である。
【図２】本実施例に係る地震警報ランプの別の模式図である。
【図３】本実施例に係るプラグイン式ベースの模式図である。
【図４】本実施例に係るプラグイン式ベースの別の模式図である。
【図５】本実施例に係るカバープレートの模式図である。
【図６】本実施例に係る別の規格のプラグのカバープレートの模式図である。
【図７】本実施例に係る警報装置の模式図である。
【図８】本実施例に係る各ユニット間の接続の模式図である。
【考案を実施するための形態】
【００１５】
図１−図８は本考案の地震警報ランプをより説明する。
【００１６】
地震警報ランプは、警報装置１とベース２を備え、前記警報装置１がベース２に着脱自在に装着され、警報装置は取付室を有するハウジングと取付室に蓋設されてハウジングの正面に位置する円弧形透明パネル１２とを含み、前記取付室内には、静止時に固定しているが大地震が発生した時に磁気変化が起こり、球状コンパスの方向を変える球状コンパスと、近距離で磁ボールの変化を検出して、磁場信号異常信号を送信する磁場検出素子であるホール素子とを主に備える地球磁場検出ユニットと、地球磁場検出ユニットに接続されて、磁場異常信号を受信した時に、早期警報を出す音声光早期警報ユニット６と、地球磁場検出ユニットに接続されて、地震縦波を検出した時に、縦波信号を送信し、高感度の振動センサと積分回路からなり、地震縦波を感知して縦波信号を生成する地震縦波検出ユニット９と、地震横波を検出した時に、横波信号を送信し、低感度の振動センサと積分回路からなり、地震横波を感知する場合、横波信号を送信する地震横波検出ユニット１０と、地震縦波検出ユニットと地震横波検出ユニットに接続されて、縦波信号又は横波信号を受信した時に、音声光警報を出す音声光警報ユニット１１と、応急又は避難時の照明に用いられるＬＥＤランプである照明ユニット８と、リチウム電池であって上記各ユニットに給電する給電ユニットと、音声光早期警報ユニット、音声光警報ユニット及び照明ユニットに接続されて信号を伝送し、シングルチップマイクロコンピュータからなる制御ユニット７とが集積されている。ハウジングに充電ケーブルを直接利用して充電できる充電ポート１１が設けられている。音声光早期警報ユニット、音声光警報ユニットの光線は透明パネル１２を介して表示され、照明ユニットの光線は透明パネル１２を介して周囲へ照射される。
【００１７】
前記ベースは固定式ベース２とプラグイン式ベース３に分けられ、前記固定式ベース２とプラグイン式ベース３のいずれにも接続溝３２が設けられ、接続溝３２は三つの側壁の一つが開口するものであり、前記警報装置１は固定式ベース２又はプラグイン式ベース３の接続溝３２のいずれかに装着され、すなわちハウジングは開口から接続溝３２内に滑り込むことができ、前記固定式ベース２の接続溝に背向した一側は壁取付側として構成され、該壁取付側は壁との接続に用いられ、プラグイン式ベース３の接続溝に背向した一側に取付溝があり、該取付溝３１は無線充電モジュールを取り付けて、接続溝３２に接続された警報装置１内のリチウム電池を充電し、前記取付溝３１にはカバープレート３４が着脱可能に設けられ、前記カバープレート３４に無線充電モジュールに接続されたプラグ３３が設けられる。
【００１８】
さらに、前記カバープレート３４は複数枚設けられ、且つそれぞれのカバープレート３４におけるプラグ３３の規格が異なり、すなわち各種のプラグ３３は各種国家の要件、及び２相プラグ３３や３相プラグ３３に適用でき、それにより本考案の使用柔軟性を大幅に向上させる。
【００１９】
さらに、前記取付溝３１の内壁に係合溝があり、前記カバープレート３４には係合溝と係合するバックルがある。
【００２０】
さらに、前記取付溝３１のノッチの両側のいずれにも制限溝４１付き制限板４が設けられ、前記警報装置１の側壁に制限溝４１と嵌合する制限ストリップ１２があり、該制限溝４１と制限ストリップ１２は上下に延設されており、すなわち警報装置１のスライド方向に沿って伸びている。
【００２１】
さらに、前記壁取付側に取付孔付き取付ストリップがある。
【００２２】
さらに、前記壁取付側にさらに、取付ストリップの両側に位置する凸リブがある。
【００２３】
使用する時、必要に応じて警報装置を固定式ベース又はプラグイン式ベースに係合し、次に固定式ベース又はプラグイン式ベースを介して警報装置を壁又は壁のコンセントに取り付け、このため、使用柔軟性が向上する。一方、警報装置１を固定式ベース２又はプラグイン式ベース３から取り外して、照明用に用いられることも可能であり、無線充電モジュールはプラグイン式ベース３と嵌合して充電するものである。地震が発生した時、本考案では、早期警報と最後警報、及び地震警報が発生した時の避難に必要な照明及び信号ランプとして機能するだけでなく、避難に利便性をもたらし、人々の安全を確保し、財産の損失を減らす一方、地震縦波検出ユニットと地震横波検出ユニットを設置することによって、地震の検出精度を効果的に向上させる。該装置は、設置されて監視する時に停電の場合の応急照明機能を果たすこともでき、応急照明状態でも、地震を監視して早期警告することができる。
【００２４】
前記は本考案の好適な実施形態に過ぎず、本考案の保護範囲は上記実施例に制限されず、本考案の構想に基づく技術案であれば、本考案の保護範囲に属する。なお、当業者が本考案の原理を脱逸せずに行う各種の改良や修飾も、本考案の保護範囲と見なすべきである。
【図１】
0003214732.tif 000003
【図２】
0003214732.tif 000004
【図３】
0003214732.tif 000005
【図４】
0003214732.tif 000006
【図５】
0003214732.tif 000007
【図６】
0003214732.tif 000008
【図７】
0003214732.tif 000009
【図８】
0003214732.tif 000010